(57)【要約】      （修正有）【課題】極めて簡単な構造で組立て及び分解が容易で、且つ耐久性に優れるとともに携帯性及び保管性に優れ、安価に生産可能なかつらスタンドを提供すること。【解決手段】切込み部１２０、係合片１３２〜１３６、係合つめ片受け部１４２，１４４及び安定部材取着部１４０が形成された支柱片１００と、切欠き部２２２，２２４、係合片受け部２３２〜２３６、係合つめ片２５０が形成された支柱片２００と、安定部材３００とを具備し、切欠き部を切込み部に嵌め込み係合させるとともに、係合片を係合片受け部に係合させ且つ係合つめ片を係合つめ片受け部に係合させることにより組立てられるよう構成し、安定部材取着部に安定部材を取着した状態で、支柱片１００，２００及び安定部材３００を平面的に重ね合せられるよう構成したことを特徴とする。【選択図】図１
2018099286.tif 000002
【特許請求の範囲】
【請求項１】
１枚の反発性を有する樹脂板からなり、垂直方向の中心線に関し略左右線対称の形状であり当該中心線上に位置するように上部近傍から下部近傍にかけて切込み部が形成されるとともに当該切込み部に対して水平方向へ指向する係合片を設け、上記上部の外周縁部は湾曲状に形成されるとともに上記下部には脚片部が形成され、上記上部から所定位置には安定部材取着部が設けられた第一の支柱片と、
１枚の反発性を有する樹脂板からなり、垂直方向の中心線に関し略左右線対称の形状であり当該中心線上に位置するように上記係合片が着脱自在に係合する係合片受け部を設け、上部の外周縁部は湾曲状に形成されるとともに下部には脚片部が形成され、上記中心線上に位置するように上記上部の中央部位には上記切込み部の上部に嵌め込み係合する上部切欠き部が形成され、上記中心線上に位置するように上記下部の中央部位には上記切込み部の下部に嵌め込み係合する下部切欠き部が形成され、上記上部から所定位置には安定部材嵌合部が設けられた第二の支柱片と、
１枚の反発性を有する樹脂板からなり、上記安定部材取着部に着脱自在に嵌め込み取着されるよう外周縁部から内側に指向するよう切欠き形成された第一の取着部と、上記安定部材嵌合部に着脱自在に嵌め込み取着されるよう内周側に直線状に切欠き形成された第二の取着部とを設けた安定部材とを具備するものであって、
上記上部切欠き部を上記切込み部の上部に嵌め込み係合させるとともに、上記下部切欠き部を上記切込み部の下部に嵌め込み係合させ、上記係合片を上記係合片受け部に係合させ、上記第一の取着部を上記安定部材取着部に着脱自在に嵌め込み取着し、上記第二の取着部を上記安定部材嵌合部に着脱自在に嵌め込み取着させることにより組立てられるよう構成し、
この組立てられた状態で上記安定部材を上記安定部材取着部に対して垂直方向に回動し上記第一の支柱片と当接状態にすると、上記第二の支柱片は水平方向に回動して上記第一の支柱片及び上記安定部材と当接状態になるようにしたことを特徴とするかつらスタンド。
【請求項２】
上記第一の支柱片または上記第二の支柱片の少なくとも一方の支柱片には、垂直方向の中心線上に垂直方向から水平方向に回動自在に折り曲げ可能な係合つめ片が形成され、
組立て時、この係合つめ片が水平方向に回動自在に折り曲げられて嵌め込み係合する係合つめ片受け部を他方の支柱片の垂直方向の中心線近傍に形成したことを特徴とする請求項１記載のかつらスタンド。
【請求項３】
上記係合つめ片には切欠き部が形成され、上記係合つめ片受け部にはこの切欠き部が嵌め込まれて係合する切欠き受け部が形成されたことを特徴とする請求項２記載のかつらスタンド。
【請求項４】
上記係合つめ片は、半円状、円形状または大きさの異なる半円状の組合せ形状からなることを特徴とする請求項３記載のかつらスタンド。
【請求項５】
上記第一の支柱片には下端部から上方の所定位置に折り曲げ自在となるよう水平方向に折り線が形成された折り曲げ部が設けられ、
上記第二の支柱片には、上記第一の支柱片と同様に下端部から上方の所定位置に折り曲げ自在となるよう水平方向に折り線が形成された折り曲げ部が設けられ、
上記第一の支柱片と上記第二の支柱片を重ね合せると夫々の上記折り曲げ部が合致し、当該折り曲げ部を介して当該第一の支柱片と当該第二の支柱片が折り曲げ自在となるよう構成したことを特徴とする請求項１、請求項２、請求項３または請求項４記載のかつらスタンド。
【請求項６】
上記第一の支柱片及び上記第二の支柱片に設けられた折り曲げ部の折り線は、各垂直方向の中心線から一方に設けられたものはｎ本（ｎは自然数）で、他方に設けられたものはｎ本以上となるよう構成したことを特徴とする請求項５記載のかつらスタンド。
【発明の詳細な説明】
【技術分野】
【０００１】
本発明は、組立て及び分解が容易なかつらスタンド、特に簡単な構造で耐久性に優れる組立て及び分解が容易で携帯性に優れるかつらスタンドに関する。
【背景技術】
【０００２】
従来、かつらを載置する器具としては、例えば胸像や首像のマネキンがあり、その頭部にかつらを載置するものであった。このものは、特定の場所での展示を主目的とするものであり、形状及び重量も大きく、取扱いを工夫する必要があった。また、一般家庭で用いるには不向きであった。
【０００３】
下記特許文献１には、所定の柱状の形状に組立て可能な本体部と、この本体部の所定の部位に係止されるフランジ部とから構成される紙或いは合成樹脂により成形されたかつら載置用スタンドが開示されている。また、組立て時に少なくとも截頭６角錐になるように少なくとも６本の折り目が形成されており、この折り目により区画される各片のいずれかの片に、組立て時に截頭６角錐に係止し保持させるための保持機構を有するように構成された合成樹脂により成形されたかつら載置用スタンドが開示されている。特許文献１に開示されたかつら載置用スタンドは、マネキン型のものに比べれば、かつらを展示する際のスペースをとらず、搬送・携帯の面では便利ではある。
【０００４】
下記特許文献２には、１枚の反発性を有する樹脂板からなるシートに平行関係にある折り目をｎ個（但しｎ≧５であり、同一直線上または同一直線近傍に位置する折り目は１個とカウントする）形成することにより設けられるｎ＋１個の支柱部と、折り目上に接続機構とを設け、シートの両端に位置する支柱部同士は接続機構を介して接続することにより２枚重ねの状態になり、両端以外の隣接する支柱部同士は接続機構を介して接続することにより２枚重ねの状態になるように構成したかつらスタンドが開示されている。特許文献２に開示されたかつらスタンドは、反発性を有する樹脂シートの厚みを増すことなく強度を確保しつつ安定してかつらを載置でき、組立及び分解が容易となることを意図したものである。
【０００５】
下記特許文献３には、内側中央部分に形成されたウィッグ受け部と、ウィッグ受け部の両端部にて一体的となるよう形成されウィッグ受け部を囲繞するよう設けられた台座部とを具備する１枚の反発性を有する板状のシートであって、台座部にはウィッグ受け部と一体的に形成された部位とは異なる部位に接続機構が設けられ、この接続機構が接続状態にあるときはウィッグ受け部を上方に指向するよう湾曲するように構成したかつらスタンドが開示されている。特許文献３に開示されたかつらスタンドは、反発性を有する板状のシートの厚みを増すことなく強度を確保し、安定してかつらを載置できるとともに、簡単な構造で組立て及び分解が容易で携帯性及び耐久性に優れ、通気性にも優れて毛髪の巻込み防止をも図ることを意図したものである。
【０００６】
下記特許文献４には、組立て時に角錐台状になる反発性を有する樹脂板からなるシートであって、シートに角錐台の角数に対応して形成される複数の折り目部と、折り目部により区画され角錐台の側面を形成する複数の片部と、シート両端部に位置する片部に設けられ組立て時に当該片部同士が重なるよう保持する第一の保持機構部と、片部の長手方向の略中央部位に形成される折り曲げ機構部とを設け、複数の片部はその幅が一方から他方に向かうに従って順に広くまたは狭くなるよう形成した構成のかつらスタンドが開示されている。特許文献４に開示されたかつらスタンドは、簡単な構造でコンパクトであり、持ち運びに便利であるとともにかつらの形態を崩さずに安定してかつらを載置でき、且つ衛生面でも優れるというものである。
【０００７】
下記特許文献５には、上部が曲線状に形成され下部に水平方向に指向する脚片部が形成された支柱片同士を組合せることにより、上部には略半円形状または半楕円状を成すかつら受け部が形成されるとともに、下部には脚片部から成る水平方向に指向する複数の脚部が形成されて組立てられるスタンドが開示されている。特許文献５に開示されたかつらスタンドは、極めて簡単な構造で組立て及び分解が容易で且つ丈夫で取扱い性にも優れる安価に生産可能としたことを特徴とするものである。
【０００８】
下記特許文献６には、かつら等を展示のためにかつら等を保持するかつら保持器を、比較的軽くて硬い紙、アクリルまたはプラスティック等の軽量の部材で構成し、それらの部材の形状を平面として部材を互いに挿入し組立てることによりかつら保持器となるようにし、かつら保持器を使用しない際には必要とする容積を少なくするようにした可搬型かつら展示器具が開示されている。特許文献６に開示されたものは、収納と運搬を経済的にしたことを特徴とするものである。
【０００９】
下記特許文献７には、紙或いはプラスティック等の軽量の部材を使用し、且つかつらを保持する形状として型紙を組合せた形で構成し、人頭形、球状、半球状及び円筒状等開いた状態での水平の断面が円形状になる構造を採用した携帯型かつら保持器が開示されている。特許文献７に開示されたものは、保持器を使用しない場合は型紙を一方向より押し込むことにより、保持器全体が容易に折り畳まれることを可能にして、必要とする容積を最小化し持ち運びを容易にしたことを特徴とするものである。
【００１０】
下記特許文献８には、一方向へ指向する係合片及び安定部材受け部並びに脚片部が形成された支柱片と、係合片とは反対方向へ指向する係合片受け部及び安定部材受け部並びに脚片部が形成された支柱片と、安定部材受け部に着脱自在に嵌合する嵌合機構部を設けた安定部材とを具備するものであって、支柱片を夫々の中心線に関し略直角に折り曲げた状態で係合片を係合片受け部に嵌め込み係合させ、嵌合機構部を安定部材受け部に嵌合させることにより安定部材を支柱片に装着して組立てるよう構成したかつらスタンドが開示されている。特許文献８に開示されたものは、極めて簡単な構造で組立て及び分解が容易で、且つ丈夫で取扱い性にも優れ、安価に生産可能としたことを特徴とするものである。
【先行技術文献】
【特許文献】
【００１１】
【特許文献１】特許第５０１４５３８号公報
【特許文献２】特開第５８３５６０５号公報
【特許文献３】実用新案登録第３１８２１５１号公報
【特許文献４】実用新案登録第３１８７２２４号公報
【特許文献５】実用新案登録第３１９６９７３号公報
【特許文献６】実用新案登録第３１６１０５４号公報
【特許文献７】実用新案登録第３１６６６２６号公報
【特許文献８】実用新案登録第３２０５７５３号公報
【発明の開示】
【発明が解決しようとする課題】
【００１２】
上述したように従来のかつらを載置する器具は、例えばマネキン式の場合は、形状及び重量も大きく、取扱性や持ち運びの面で問題がある。しかも、高価でもあり、一般家庭で用いるには不向きであった。
【００１３】
特許文献１に開示されたかつら載置用スタンドは、反発性を有する素材を用いるため、各折り目に沿って各片を順に折り曲げていくと、反発力を内包したまま脹らみを有する折り畳み状態になるものである。この折り畳み時のかつら載置用スタンドの大きさは、片の長手方向の長さ及び短手方向の長さ並びに重なり合った片の厚みとなる。このような構造では、設計上及び製造上の自由度が制約されてしまい、種々のバリエーションを生み難く、また取扱い性にも難があるものである。
【００１４】
特許文献２に開示されたかつらスタンドは、しっかりとした構造ではあるが、１枚の反発性を有する樹脂シートを重ね合せるので、やや複雑な構造を呈するものである。
【００１５】
特許文献３に開示されたかつらスタンドは、反発性を有する板状のシートの厚みを増すことなく強度を確保し、安定してかつらを載置できるが、特殊な構造を呈しているものである。
【００１６】
特許文献４に開示されたかつらスタンドは、コンパクトで持ち運びに便利ではあるが、特殊な構造を呈しているものである。
【００１７】
特許文献５に開示されたかつらスタンドは、簡単な構造で組立て及び分解が容易で、且つ丈夫なかつらスタンドである。しかしながら、このものにあっては、支柱片の折り目上に設けられる係合片や係合片受け部の一つは、折り目から左に指向するよう設けられるとともに、他方の係合片や係合片受け部は反対方向の左に指向するよう設けられるようバランスよく構成する必要があるものである。
【００１８】
特許文献６及び特許文献７に開示されたものは、切込みに部材を互いに挿入し切込み同士に生じる圧力を利用しており、耐久性上、使用素材を考慮する必要があるものである。
【００１９】
特許文献８に開示されたかつらスタンドは、極めて簡単な構造で組立て及び分解が容易で、耐久性及び取扱い性にも優れるが、スタンドの大きさはその高さと横幅で決められてしまうものである。
【００２０】
近時、さらに簡単な構造で且つ軽くて取扱い性に優れるとともに、携帯性及び保管性に優れるコンパクトなかつらスタンドの提供が要望され続けている。しかしながら、その要望を充分満たすようなものは試行錯誤の状況であるのが実情である。特に、コンパクトな機能を兼ね備えたものが存在しないのが実情である。
【００２１】
本発明は上記事情を考慮してなされたもので、上述の不具合を解消し、極めて簡単な構造で組立て及び分解が容易で、且つ耐久性に優れるとともに、携帯性及び保管性に優れるかつらスタンドを提供することを目的とする。
また、本発明は、取扱い性にも優れ、安価に生産することが可能なかつらスタンドを提供することを目的とする。
【課題を解決するための手段】
【００２２】
本発明は、上記目的を達成するために以下の通りの構成とすることを特徴とする。
【００２３】
（１）  １枚の反発性を有する樹脂板からなり、垂直方向の中心線に関し略左右線対称の形状であり当該中心線上に位置するように上部近傍から下部近傍にかけて切込み部が形成されるとともに当該切込み部に対して水平方向へ指向する係合片を設け、上記上部の外周縁部は湾曲状に形成されるとともに上記下部には脚片部が形成され、上記上部から所定位置には安定部材取着部が設けられた第一の支柱片と、
１枚の反発性を有する樹脂板からなり、垂直方向の中心線に関し略左右線対称の形状であり当該中心線上に位置するように上記係合片が着脱自在に係合する係合片受け部を設け、上部の外周縁部は湾曲状に形成されるとともに下部には脚片部が形成され、上記中心線上に位置するように上記上部の中央部位には上記切込み部の上部に嵌め込み係合する上部切欠き部が形成され、上記中心線上に位置するように上記下部の中央部位には上記切込み部の下部に嵌め込み係合する下部切欠き部が形成され、上記上部から所定位置には安定部材嵌合部が設けられた第二の支柱片と、
１枚の反発性を有する樹脂板からなり、上記安定部材取着部に着脱自在に嵌め込み取着されるよう外周縁部から内側に指向するよう切欠き形成された第一の取着部と、上記安定部材嵌合部に着脱自在に嵌め込み取着されるよう内周側に直線状に切欠き形成された第二の取着部とを設けた安定部材とを具備するものであって、
上記上部切欠き部を上記切込み部の上部に嵌め込み係合させるとともに、上記下部切欠き部を上記切込み部の下部に嵌め込み係合させ、上記係合片を上記係合片受け部に係合させ、上記第一の取着部を上記安定部材取着部に着脱自在に嵌め込み取着し、上記第二の取着部を上記安定部材嵌合部に着脱自在に嵌め込み取着させることにより組立てられるよう構成し、
この組立てられた状態で上記安定部材を上記安定部材取着部に対して垂直方向に回動し上記第一の支柱片と当接状態にすると、上記第二の支柱片は水平方向に回動して上記第一の支柱片及び上記安定部材と当接状態になるように構成したことを特徴とする。
【００２４】
（２）  上記（１）の構成にあって、上記第一の支柱片または上記第二の支柱片の少なくとも一方の支柱片には垂直方向の中心線上に垂直方向から水平方向に回動自在に折り曲げ可能な係合つめ片が形成され、
組立て時、この係合つめ片が水平方向に回動自在に折り曲げられて嵌め込み係合する係合つめ片受け部を他方の支柱片の垂直方向の中心線近傍に形成するよう構成したことを特徴とする。
【００２５】
（３）  上記（２）の構成にあって、上記係合つめ片には切欠き部が形成され、上記係合つめ片受け部にはこの切欠き部が嵌め込まれて係合する切欠き受け部が形成されるよう構成したことを特徴とする。
【００２６】
（４）  上記（３）の構成にあって、上記係合つめ片は、半円状、円形状または大きさの異なる半円状の組合せ形状からなるよう構成したことを特徴とする。
【００２７】
（５）  上記（１）、（２）、（３）または（４）の構成にあって、上記第一の支柱片には下端部から上方の所定位置に折り曲げ自在となるよう水平方向に折り線が形成された折り曲げ部が設けられ、
上記第二の支柱片には上記第一の支柱片と同様に下端部から上方の所定位置に折り曲げ自在となるよう水平方向に折り線が形成された折り曲げ部が設けられ、
上記第一の支柱片と上記第二の支柱片を重ね合せると夫々の上記折り曲げ部が合致し、当該折り曲げ部を介して当該第一の支柱片と当該第二の支柱片が折り曲げ自在となるよう構成したことを特徴とする。
【００２８】
（６）  上記（５）の構成にあって、上記第一の支柱片及び上記第二の支柱片に設けられた折り曲げ部の折り線は、各垂直方向の中心線から一方に設けられたものはｎ本（ｎは自然数）で、他方に設けられたものはｎ本以上となるよう構成したことを特徴とする。
【００２９】
上記構成によれば、シンプルな構造で組立て及び分解が容易で、耐久性にも優れるかつらスタンドを提供することができるものである。
また、上記構成によれば、シンプルな構造ゆえ取扱い性にも優れ、経済的にも安価に生産可能なかつらスタンドを提供することできるものである。
【００３０】
さらに、上記構成によれば、組立て時、かつらの形態を崩さずに安定してかつらを載置できるとともに、通気性もよく衛生面でも優れるものである。加えて、携帯性にも優れるものである。
【発明の効果】
【００３１】
本発明によれば、極めて簡単な構造で組立て及び分解が容易で、且つ耐久性に優れるかつらスタンドを提供できるという効果を奏する。
また、本発明によれば、取扱い性にも優れ、安価に生産することが可能なかつらスタンドを提供できるという実用的且つ経済的効果を奏する。
【図面の簡単な説明】
【００３２】
【図１】本発明の第１の実施形態に係わるかつらスタンドの組立て前の分解状態の支柱片及び安定部材の平面図である。
【図２】同実施形態に係わり、一方の支柱片に安定部材を取着した状態を示す図である。
【図３】同実施形態に係わり、安定部材を取着した支柱片に他方の支柱片を取付けた状態を示す図である。
【図４】同実施形態に係わり、安定部材を取着した支柱片に他方の支柱片を取付けた状態を示す参考図である。
【図５】同実施形態に係わり、かつらスタンドの組立てた後の状態を示す斜視図である。
【図６】同実施形態に係わり、かつらスタンドの組立てた後の状態を示す参考斜視図である。
【図７】本発明の第２の実施形態に係わるかつらスタンドの組立て前の分解状態の支柱片及び安定部材の平面図である。
【図８】同実施形態に係わり、一方の支柱片に安定部材を取着した状態を示す図である。
【図９】同実施形態に係わり、安定部材を取着した支柱片に他方の支柱片を取付けた状態を示す図である。
【図１０】同実施形態に係わり、安定部材を取着した支柱片に他方の支柱片を取付けた状態を示す参考図である。
【図１１】同実施形態に係わり、かつらスタンドの組立てた後の状態を示す斜視図である。
【図１２】同実施形態に係わり、かつらスタンドの組立てた後の状態を示す参考斜視図である。
【図１３】本発明の第３の実施形態に係わるかつらスタンドの組立て前の分解状態の支柱片及び安定部材の平面図である。
【図１４】同実施形態に係わり、安定部材を取着した支柱片に他方の支柱片を取付けた状態を示す図である。
【図１５】同実施形態に係わり、安定部材を取着した支柱片に他方の支柱片を取付けた状態を示す参考図である。
【図１６】同実施形態に係わり、かつらスタンドの組立てた後の状態を示す斜視図である。
【図１７】同実施形態に係わり、かつらスタンドを二つ折りにした状態を示す図である。
【図１８】本発明の第４の実施形態に係わるかつらスタンドの組立て前の分解状態の支柱片及び安定部材の平面図である。
【図１９】同実施形態に係わり、安定部材を取着した支柱片に他方の支柱片を取付けた状態を示す図である。
【図２０】同実施形態に係わり、安定部材を取着した支柱片に他方の支柱片を取付けた状態を示す参考図である。
【図２１】同実施形態に係わり、かつらスタンドの組立てた後の状態を示す斜視図である。
【図２２】同実施形態に係わり、かつらスタンドを二つ折りにした状態を示す図である。
【発明を実施するための形態】
【００３３】
以下本発明の実施形態につき、図を参照して説明する。
【００３４】
（第１の実施形態）
第１の実施形態に係わるかつらスタンド１０は、図１乃至図６に示すように、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００及び安定部材３００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【００３５】
支柱片（第一の支柱片）１００は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１中、中心線Ａ−Ａ上）の上部近傍から下部近傍にかけては、上端部１２０ａ及び下端部１２０ｂを有する切込み部１２０が形成されている。
【００３６】
而して切込み部１２０には、係合片１３２，１３４，１３６が設けられている。図１中、中心線Ａ−Ａに対して係合片１３２は左方向へ指向するように、係合片１３４は右方向へ指向するように、そして係合片１３６は左方向へ指向するように設けられている。
【００３７】
また、切込み部１２０には、その上部側に安定部材取着部１４０が設けられている。この安定部材取着部１４０は、略１／４円形状を呈するよう形成された二つのガイド部１４２，１４４とから構成されている。
【００３８】
即ち、上部側に位置するガイド部１４２は、中心線Ａ−Ａ（図１参照）に対して水平方向から上方へ右方向に指向するように略１／４円形状を呈するよう形成されおり、また水平方向の一端部に係合保持部１４２ａを形成している。他方、下部側に位置するガイド部１４４は、中心線Ａ−Ａ（図１参照）に対して水平方向から下方へ左方向に指向するように略１／４円形状を呈するよう形成されおり、また水平方向の一端部に係合保持部１４４ａを形成している。
なお、係合保持部１４２ａ，１４４ａは、例えば底面部１００ｄから垂直方向に３／４Ｈの高さに位置するよう構成されている。
【００３９】
さらに、切込み部１２０には、その下部側に係合つめ片受け部１５０が設けられている。係合つめ片受け部１５０は、中心線Ａ−Ａ（図１参照）に対して水平方向から上方へ左方向に指向するように略１／４円形状を呈するよう形成されおり、また水平方向の一端部に係合保持部（切欠き受け部）１５０ａを形成している。
【００４０】
他方の支柱片（第二の支柱片）２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図１中、中心線Ｂ−Ｂ上）の上部には、下方へ指向するよう下端部２２２ａを有する切欠き部（上部切欠き部）２２２が形成されている。また、支柱片２００の中央部位（図１中、中心線Ｂ−Ｂ上）の下部には、上方へ指向するよう上端部２２４ａを有する切欠き部２２４（下部切欠き部）が形成されている。
【００４１】
而して支柱片２００の中心線Ｂ−Ｂ上には、係合片受け部２３２，２３４，２３６が形成されている。即ち、係合片１３２が着脱自在に挿し込み可能な係合片受け部２３２が形成され、係合片１３４が着脱自在に挿し込み可能な係合片受け部２３４が形成され、そして係合片１３６が着脱自在に挿し込み可能な係合片受け部２３６が形成されている。
【００４２】
また、支柱片２００の上部２００ａには、例えば支柱片２００の底辺部２００ｄから上方に向かって全体の高さＨの３／４に当たる位置には、切欠き状の安定部材受け部（安定部材嵌合部）２４２，２４４が形成されている。即ち、図１中、中心線Ｂ−Ｂに対して支柱片２００の左側には右方向へ指向するよう端部２４２ａを有する安定部材受け部２４２が形成されている。また、中心線Ｂ−Ｂに対して支柱片２００の右側には左方向へ指向するよう端部２４４ａを有する安定部材受け部２４４が形成されている。
【００４３】
また、支柱片２００の中心線Ｂ−Ｂ上には、係合つめ片受け部１５０に嵌め込まれて係合する半円状の係合つめ片２５０が形成されている。係合つめ片２５０は、その外周縁部に係合切欠き部（切欠き部）２５０ａが形成されるとともに、その下端部２５０ｂを基線に垂直方向に対して回動自在となるよう構成されている。そして、かつらスタンド１０の組立て時、係合つめ片受け部１５０の周縁部に対して係合切欠き部２５０ａを摺動するようにして水平状態にすると、係合保持部１５０ａに係合して保持状態となるよう構成されている。
【００４４】
さて、安定部材３００は、外観が円形状を呈し、安定部材取着部１４０に着脱自在に嵌め込み取着されるよう外周縁部から内側に指向するよう切欠き形成された第一の取着部３２２，３２４と、安定部材受け部２４２，２４４に着脱自在に嵌め込み取着されるよう内周側に直線状に切欠き形成された第二の取着部３４０を有する。ここで、第一の取着部３２２，３２４には、支柱片１００に安定部材３００の取着時、係合保持部１４２ａ，１４４ａと当接状態になる底端部３２２ａ，３２４ａが形成されている。また、第二の取着部３４０には、支柱片２００に安定部材３００の取着時、端部２４２ａ，２４４ａと当接状態になる端部３４０ａ，３４０ｂが形成されている。
【００４５】
また、安定部材３００は、支柱片２００に取着時、端部２４２ａ，２４４ａを介して垂直方向に回動自在となるよう構成されている。
【００４６】
また、安定部材３００は、支柱片１００に取着時、安定部材取着部１４０のガイド部１４２，１４４の周縁部に対して第一の取着部３２２，３２４の底端部３２２ａ，３２４ａを摺動するようにして水平状態にすると、係合保持部１４２ａ，１４４ａに係合して保持状態となるよう構成されている。加えて、安定部材３００は、かつらスタンド１０に載置されるかつらの形体を崩すことなく、あたかも人頭に取着された場合と同様にその形体を保持するようガイド機能を有するものである。
【００４７】
さらに、安定部材３００は、組立て時、安定部材取着部１４０に対して垂直方向に回動し支柱片１００と当接状態にして、支柱片２００を水平方向に回動して支柱片１００と重ね合わせるようにすると、支柱片２００と面接触の当接状態になるものである。
なお、本実施形態に於ける安定部材３００は、外観が真円や楕円を含む円形状としているが、形状はこれらに限定される訳ではなく、例えば真円の半分と楕円の半分を組合せた形状のものや、他の形状でも良いことは勿論である。
また、組立てられたかつらスタンド１０は、係合つめ片２５０と係合つめ片受け部１５０の係合保持状態並びに取着された安定部材３００により、安定性を保持できるものである。而して、安定部材３００は、係合つめ片２５０より外側に位置して内側に向けて力が働くよう構成されているので、係合つめ片２５０と係合つめ片受け部１５０の係合保持状態よりも強い力で安定性に寄与できるよう構成されているものである。
【００４８】
上記構成につき、その作用を以下に説明する。
【００４９】
かつらスタンド１０の組立ては、先ず、支柱片２００に安定部材３００を取付ける。即ち、第二の取着部３４０内に支柱片２００が位置するよう例えば支柱片２００の上方から安定部材３００を降下させて、第二の取着部３４０を安定部材受け部２４２，２４４に嵌め込み、端部３４０ａ，３４０ｂと端部２４２ａ，２４４ａを当接状態にする。而して端部２４２ａ，２４４ａを介して安定部材３００を回動させて安定部材３００と支柱片２００とを、面接触の状態にしておく（図２参照）。
【００５０】
この状態で、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【００５１】
次に、係合片１３２を係合片受け部２３２に、係合片１３４を係合片受け部２３４に、そして係合片１３６を係合片受け部２３６に挿し込み係合させる。
【００５２】
続いて、係合切欠き部２５０ａを係合つめ片受け部１５０の周縁部に対して摺動するようにして係合つめ片２５０を水平状態にして係合切欠き部２５０ａを係合保持部１５０ａに係合させると、水平状態に保持される。
【００５３】
而して安定部材３００を水平となるよう回動して底端部３２２ａ，３２４ａを係合保持部１４２ａ，１４４ａに係合して保持状態にする。
【００５４】
斯様にして上部がかつら受け部１０ａで、下部が脚部１０ｂとなるかつらスタンド１０が組立てられることになる（図５参照）。かつらスタンド１０は、係合片１３２，１３４，１３６と係合片受け部２３２，２３４，２３６との係合状態に加えて、係合つめ片２５０と係合つめ片受け部１５０及び安定部材３００とが夫々に於いて係合して保持状態にあるので、従来の組み立て式のかつらスタンドに比べてより強固に安定した状態を保持できるよう機能するものである。
【００５５】
組立てられたかつらスタンド１０を、底端部３２２ａ，３２４ａと係合保持部１４２ａ，１４４ａとの係合状態を解除して安定部材３００を垂直方向へ回動させて支柱片２００と面接触の状態にする。この後、係合片１３２，１３４，１３６と係合片受け部２３２，２３４，２３６を係合状態に保持したまま、支柱片１００と支柱片２００を重ね合わせる。例えば、支柱片１００を水平方向に４５°回動させて支柱片２００と面接触の当接状態にすると、支柱片１００，２００と安定部材３００が面接触の状態で重なるので、コンパクトになり、持ち運びに便利で少ないスペースで収納や保管も可能となる。
【００５６】
組立てられたかつらスタンド１０を分解する場合は、先ず、底端部３２２ａ，３２４ａと係合保持部１４２ａ，１４４ａとの係合状態を解除して安定部材３００を垂直方向へ回動させて支柱片２００と面接触の状態にする。
【００５７】
次に、係合切欠き部２５０ａを係合保持部１５０ａとの係合状態を解除して係合つめ片２５０を上方へ回動させて支柱片２００と同一面となるような水平状態にする。
【００５８】
続いて、係合片１３２，１３４，１３６と係合片受け部２３２，２３４，２３６の係合状態を解除する。即ち、係合片１３２，１３４，１３６を係合片受け部２３２，２３４，２３６から引き抜く。
【００５９】
而して切欠き部２２２を切込み部１２０の上端部１２０ａから外すともに、切欠き部２２４を切込み部１２０の下端部１２０ｂから外して、支柱片２００を支柱片１００から取外す。そして、端部３４０ａ，３４０ｂと端部２４２ａ，２４４ａとの当接状態を解除して安定部材３００を安定部材受け部２４２，２４４から取外せば支柱片２００から安定部材３００を取外せる。これにより分解状態となる。
【００６０】
上記実施形態によれば、極めてシンプルな構造で組立てが可能で且つ強固で安定した組立て状態を保持でき、また分解が容易に可能で耐久性に優れるとともに、携帯性及び保管性に優れるかつらスタンド１０を提供することができるものである。
【００６１】
また、かつらスタンド１０の上部形状により、かつらの形態を崩さずに安定してかつらを載置できるとともに、その形状から通気性にも優れ、取扱性及び衛生面での向上を図れるものである。特に、安定部材３００は、載置されるかつらの形体を崩すことなく、あたかも人頭に取着された場合と同様にその形体を保持するようガイド機能を有するので、便利で有用なものである。
【００６２】
さらに、シンプルな構造の２枚の支柱片１００，２００から成るので、安価に生産することが可能なかつらスタンドを提供できるという経済的且つ実用的効果を奏する。
【００６３】
（第２の実施形態）
続いて本発明の第２の実施形態について、図７乃至図１２を参照して説明する。第１の実施形態と同一部分及び／または同一機能については、同一番号・同一記号を付して説明する。
【００６４】
本実施形態に係わるかつらスタンド１０は、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００及び安定部材３００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【００６５】
支柱片１００（第一の支柱片）は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１中、中心線Ａ−Ａ上）の上部近傍から下部近傍にかけては、上端部１２０ａ及び下端部１２０ｂを有する切込み部１２０が形成されている。
【００６６】
而して切込み部１２０には、係合片１３２，１３４，１３６が設けられている。図１中、中心線Ａ−Ａに対して係合片１３２は左方向へ指向するように、係合片１３４は右方向へ指向するように、そして係合片１３６は左方向へ指向するように設けられている。
【００６７】
また、切込み部１２０には、その上部側に安定部材取着部１４０が設けられている。この安定部材取着部１４０は、略１／４円形状を呈するよう同等の表面積を有するように形成された二つのガイド部１４２，１４４とから構成されている。
【００６８】
即ち、上部側に位置するガイド部１４２は、中心線Ａ−Ａ（図１参照）に対して水平方向から上方へ右方向に指向するように略１／４円形状を呈するよう形成されおり、また水平方向の一端部に係合保持部１４２ａを形成している。他方、下部側に位置するガイド部１４４は、中心線Ａ−Ａ（図１参照）に対して水平方向から下方へ左方向に指向するように略１／４円形状を呈するよう形成されおり、また水平方向の一端部に係合保持部１４４ａを形成している。
なお、係合保持部１４２ａ，１４４ａは、例えば底面部１００ｄから垂直方向に３／４Ｈの高さに位置するよう構成されている。
【００６９】
さらに、切込み部１２０には、その下部側に係合つめ片受け部１５０が設けられている。この係合つめ片受け部１５０は、略１／４円形状を呈するよう形成された大小二つの係合つめ片受け部、即ち係合小つめ片受け部１５２と係合大つめ片受け部１５４とから構成されている。
【００７０】
係合小つめ片受け部１５２は、中心線Ａ−Ａ（図７参照）に対して水平方向から下方へ右方向に指向するように略１／４円形状を呈するよう形成されており、また水平方向の一端部に係合保持部（切欠き受け部）１５２ａを設けている。係合大つめ片受け部１５４は、係合小つめ片受け部１５２の表面積より大きく、中心線Ａ−Ａ（図７参照）に対して水平方向から上方へ左方向に指向するように略１／４円形状を呈するよう形成されており、また水平方向の一端部に係合保持部（切欠き受け部）１５４ａを設けている。
【００７１】
他方の支柱片（第二の支柱片）２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図７中、中心線Ｂ−Ｂ上）の上部には、下方へ指向するよう下端部２２２ａを有する切欠き部２２２が形成されている。また、支柱片２００の中央部位（図７中、中心線Ｂ−Ｂ上）の下部には、上方へ指向するよう上端部２２４ａを有する切欠き部２２４が形成されている。
【００７２】
而して支柱片２００の中心線Ｂ−Ｂ上には、係合片受け部２３２，２３４，２３６が形成されている。即ち、係合片１３２が着脱自在に挿し込み可能な係合片受け部２３２が形成され、係合片１３４が着脱自在に挿し込み可能な係合片受け部２３４が形成され、そして係合片１３６が着脱自在に挿し込み可能な係合片受け部２３６が形成されている。
【００７３】
また、支柱片２００の上部２００ａには、例えば支柱片２００の底辺部２００ｄから上方に向かって全体の高さＨの３／４に当たる位置には、切欠き状の安定部材受け部（安定部材嵌合部）２４２，２４４が形成されている。即ち、図７中、中心線Ｂ−Ｂに対して支柱片２００の左側には右方向へ指向するよう端部２４２ａを有する安定部材受け部２４２が形成されている。また、中心線Ｂ−Ｂに対して支柱片２００の右側には左方向へ指向するよう端部２４４ａを有する安定部材受け部２４４が形成されている。
【００７４】
また、支柱片２００の中心線Ｂ−Ｂ上には、係合つめ片受け部１５０に嵌め込まれて係合する大小２種の大きさからなる半円状のつめ片から構成される係合つめ片２５０が形成されている。即ち、係合つめ片２５０は、半円状の係合大つめ片２５２と、これより表面積の小さい半円状の係合小つめ片２５４とから構成されている。
【００７５】
係合大つめ片２５２は、その外周縁部に係合切欠き部（切欠き部）２５２ａが形成されており、かつらスタンド１０の組立て時、係合大つめ片受け部１５４の周縁部に対して係合切欠き部２５２ａを摺動するようにして水平状態にすると、係合保持部１５４ａに係合して保持状態となるよう構成されている。
【００７６】
係合小つめ片２５４は、係合大つめ片２５２の反対側に一体的に形成されており、その外周縁部に係合切欠き部２５４ａ（切欠き部）が形成されている。かつらスタンド１０の組立て時、係合小つめ片受け部１５２の周縁部に対して係合切欠き部２５４ａを摺動するようにして水平状態にすると、係合保持部１５２ａに係合して保持状態となるよう構成されている。
【００７７】
さて、安定部材３００は、外観が円形状を呈し、安定部材取着部１４０に着脱自在に嵌め込み取着されるよう外周縁部から内側に指向するよう切欠き形成された第一の取着部３２２，３２４と、安定部材受け部２４２，２４４に着脱自在に嵌め込み取着されるよう内周側に直線状に切欠き形成された第二の取着部３４０を有する。ここで、第一の取着部３２２，３２４には、支柱片１００に安定部材３００の取着時、係合保持部１４２ａ，１４４ａと当接状態になる底端部３２２ａ，３２４ａが形成されている。また、第二の取着部３４０には、支柱片２００に安定部材３００の取着時、端部２４２ａ，２４４ａと当接状態になる端部３４０ａ，３４０ｂが形成されている。
【００７８】
ここで、安定部材３００は、支柱片２００に取着時、端部２４２ａ，２４４ａを介して垂直方向に回動自在となるよう構成されている。
【００７９】
また、安定部材３００は、支柱片１００に取着時、安定部材取着部１４０のガイド部１４２，１４４の周縁部に対して第一の取着部３２２，３２４の底端部３２２ａ，３２４ａを摺動するようにして水平状態にすると、係合保持部１４２ａ，１４４ａに係合して保持状態となるよう構成されている。加えて、安定部材３００は、かつらスタンド１０に載置されるかつらの形体を崩すことなく、あたかも人頭に取着された場合と同様にその形体を保持するようガイド機能を有するものである。
【００８０】
さらに、安定部材３００は、組立て時、安定部材取着部１４０に対して垂直方向に回動し支柱片１００と当接状態にして、支柱片２００を水平方向に回動して支柱片１００と重ね合わせるようにすると、支柱片２００と面接触の当接状態になるものである。
なお、本実施形態に於ける安定部材３００は、外観が真円や楕円を含む円形状としているが、形状はこれらに限定される訳ではなく、例えば真円の半分と楕円の半分を組合せた形状のものや、他の形状でも良いことは勿論である。
また、組立てられたかつらスタンド１０は、係合つめ片２５０と係合つめ片受け部１５０の係合保持状態並びに取着された安定部材３００により、安定性を保持できるものである。而して、安定部材３００は、係合つめ片２５０より外側に位置して内側に向けて力が働くよう構成されているので、係合つめ片２５０と係合つめ片受け部１５０の係合保持状態よりも強い力で安定性に寄与できるよう構成されているものである。
【００８１】
上記構成につき、その作用を以下に説明する。
【００８２】
かつらスタンド１０の組立ては、先ず、支柱片２００に安定部材３００を取付ける。即ち、第二の取着部３４０内に支柱片２００が位置するよう例えば支柱片２００の上方から安定部材３００を降下させて、第二の取着部３４０を安定部材受け部２４２，２４４に嵌め込み、端部３４０ａ，３４０ｂと端部２４２ａ，２４４ａを当接状態にする。而して端部２４２ａ，２４４ａを介して安定部材３００を回動させて安定部材３００と支柱片２００とを、面接触の状態にしておく（図８参照）。
【００８３】
この状態で、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【００８４】
次に、係合片１３２を係合片受け部２３２に、係合片１３４を係合片受け部２３４に、そして係合片１３６を係合片受け部２３６に挿し込み係合させる。
【００８５】
続いて、係合切欠き部２５２ａを係合大つめ片受け部１５２の周縁部に対して摺動するようにして係合大つめ片２５２を水平状態にして係合切欠き部２５２ａを係合保持部１５４ａに係合させるとともに、係合切欠き部２５４ａを係合小つめ片受け部１５２の周縁部に対して摺動するようにして係合小つめ片２５４を水平状態にして係合切欠き部２５４ａを係合保持部１５２ａに係合させると、係合小つめ片２５４が水平に保持状態となる。これにより、係合つめ片２５０は係合つめ片受け部１５０に対して水平状態にて係合状態が保持されることになる。
【００８６】
而して安定部材３００を水平となるよう回動して底端部３２２ａ，３２４ａを係合保持部１４２ａ，１４４ａに係合して保持状態にする。
【００８７】
斯様にして上部がかつら受け部１０ａで、下部が脚部１０ｂとなるかつらスタンド１０が組立てられることになる（図１１参照）。かつらスタンド１０は、係合片１３２，１３４，１３６と係合片受け部２３２，２３４，２３６との係合状態に加えて、係合つめ片２５０と係合つめ片受け部１５０、即ち係合大つめ片２５２と係合大つめ片受け部１５４及び係合小つめ片２５４と係合小つめ片受け部１５２、並びに安定部材３００とが夫々に於いて係合して保持状態にあるので、従来の組み立て式のかつらスタンドに比べてより強固に安定した状態を保持できるよう機能するものである。
【００８８】
組立てられたかつらスタンド１０を、底端部３２２ａ，３２４ａと係合保持部１４２ａ，１４４ａとの係合状態を解除して安定部材３００を垂直方向へ回動させて支柱片２００と面接触の状態にする。次に、係合切欠き部２５２ａを係合保持部１５４ａとの係合状態を解除するとともに、係合切欠き部２５４ａを係合保持部１５２ａとの係合状態を解除して支柱片２００と同一平面上に位置するよう係合大つめ片２５２及び係合小つめ片２５４を水平方向から垂直方向へ回動させる。この後、係合片１３２，１３４，１３６と係合片受け部２３２，２３４，２３６を係合状態に保持したまま、支柱片１００と支柱片２００を重ね合わせる。例えば、支柱片１００を水平方向に４５°回動させて支柱片２００と面接触の当接状態にすると、支柱片１００，２００と安定部材３００が面接触の状態で重なるので、コンパクトになり、持ち運びに便利で少ないスペースで収納や保管も可能となる。
【００８９】
組立てられたかつらスタンド１０を分解する場合は、底端部３２２ａ，３２４ａと係合保持部１４２ａ，１４４ａとの係合状態を解除して安定部材３００を垂直方向へ回動させて支柱片２００と面接触の状態にする。
【００９０】
次に、係合切欠き部２５２ａを係合保持部１５４ａとの係合状態を解除するとともに、係合切欠き部２５４ａを係合保持部１５２ａとの係合状態を解除して支柱片２００と同一平面上に位置するよう係合大つめ片２５２及び係合小つめ片２５４を水平方向から垂直方向へ回動させる。
【００９１】
続いて、係合片１３２，１３４，１３６と係合片受け部２３２，２３４，２３６との係合状態を解除する。即ち、係合片１３２，１３４，１３６を係合片受け部２３２，２３４，２３６から引き抜く。
【００９２】
而して切欠き部２２２を切込み部１２０の上端部１２０ａから外すともに、切欠き部２２４を切込み部１２０の下端部１２０ｂから外して、支柱片２００を支柱片１００から取外す。そして、端部３４０ａ，３４０ｂを安定部材受け部２４２，２４４から取外せば支柱片２００から安定部材３００と端部２４２ａ，２４４ａとの当接状態を解除して安定部材３００を取外せる。これにより分解状態となる。
【００９３】
上記実施形態によれば、極めてシンプルな構造で組立てが可能で且つ強固で安定した組立て状態を保持でき、また分解が容易に可能で耐久性に優れるとともに、携帯性及び保管性に優れるかつらスタンド１０を提供することができるものである。
【００９４】
また、かつらスタンド１０の上部形状により、かつらの形態を崩さずに安定してかつらを載置できるとともに、その形状から通気性にも優れ、取扱性及び衛生面での向上を図れるものである。特に、安定部材３００は、載置されるかつらの形体を崩すことなく、あたかも人頭に取着された場合と同様にその形体を保持するようガイド機能を有するので、便利で有用なものである。
【００９５】
さらに、シンプルな構造の２枚の支柱片１００，２００から成るので、安価に生産することが可能なかつらスタンドを提供できるという経済的且つ実用的効果を奏する。
【００９６】
（第３の実施形態）
続いて本発明の第３の実施形態について、図１３乃至図１７を参照して説明する。第１及び第２の実施形態と同一部分及び／または同一機能については、同一番号・同一記号を付して説明する。
【００９７】
本実施形態に係わるかつらスタンド１０は、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００及び安定部材３００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【００９８】
支柱片（第一の支柱片）１００は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１３中、中心線Ａ−Ａ上）の上部近傍から下部近傍にかけては、上端部１２０ａ及び下端部１２０ｂを有する切込み部１２０が形成されている。
【００９９】
而して切込み部１２０には、係合片１３２，１３４，１３６，１３８が設けられている。図１３中、中心線Ａ−Ａに対して係合片１３２は左方向へ指向するように、係合片１３４は右方向へ指向するように、係合片１３６は右方向へ指向するように、そして係合片１３８は左方向へ指向するように設けられている。
【０１００】
また、切込み部１２０には、その上部側に安定部材取着部１４０が設けられている。この安定部材取着部１４０は、略１／４円形状を呈するよう形成された略同じ大きさの二つのガイド部１４２，１４４とから構成されている。
【０１０１】
即ち、上部側に位置するガイド部１４２は、中心線Ａ−Ａ（図１３参照）に対して水平方向から上方へ右方向に指向するように略１／４円形状を呈するよう形成されおり、また水平方向の一端部に係合保持部１４２ａを形成している。他方、下部側に位置するガイド部１４４は、中心線Ａ−Ａ（図１３参照）に対して水平方向から下方へ左方向に指向するように略１／４円形状を呈するよう形成されおり、また水平方向の一端部に係合保持部１４４ａを形成している。
なお、係合保持部１４２ａ，１４４ａは、例えば底面部１００ｄから垂直方向に３／４Ｈの高さに位置するよう構成されている。
【０１０２】
さらに、切込み部１２０には、その下部側に係合つめ片受け部１５０が設けられている。係合つめ片受け部１５０は、中心線Ａ−Ａ（図１３参照）に対して水平方向から上方へ左方向に指向するように略１／４円形状を呈するよう形成されおり、また水平方向の一端部に係合保持部１５０ａを形成している。
【０１０３】
さて、安定部材取着部１４０の側方近傍（図１３中、中心線Ａ−Ａの左側）にはホック機構（保持機構部）を形成する上部ホック１６２が設けられている。また、係合つめ片受け部１５０の下方近傍（図１３中、中心線Ａ−Ａの左側）にはホック機構（保持機構部）を形成する下部ホック１６４が設けられている。而して、上部ホック１６２と下部ホック１６４は、その表面部及び裏面部が略同じ大きさとなるよう構成されており、支柱片１００を二つ折りにして折り畳むと、嵌め込まれて係合するよう構成されている。
【０１０４】
ところで、支柱片１００の中央部１００ｂには、即ち支柱片１００の底辺部１００ｄから上方へ１／２Ｈの位置には、支柱片１００を二つに折り畳み可能となるよう折り曲げ部１７０が水平方向に設けられている。折り曲げ部１７０は、支柱片１００の図１３中左側に位置する４本の折り曲げガイド線（折り線）を有する左側折り曲げ部１７２と、図１３中右側に位置する３本の折り曲げガイド線（折り線）を有する右側折り曲げ部１７４から構成されている。
ここで、円滑な折り曲げを可能とするために、即ち折り曲げ時に発生する反発力を軽減するために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１０５】
さらに、支柱片１００の中央部１００ｂには、即ち切込み部１２０の中央部には、切欠き部１８０が形成されている。切欠き部１８０は、折り曲げ部１７０の中央部に配するよう穿設されて形成されており、支柱片１００の折り畳み時に発生する反発力を軽減するよう機能するものである。
【０１０６】
他方の支柱片（第二の支柱片）２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図１３中、中心線Ｂ−Ｂ上）の上部には、下方へ指向するよう下端部２２２ａを有する切欠き部２２２が形成されている。また、支柱片２００の中央部位（図１３中、中心線Ｂ−Ｂ上）の下部には、上方へ指向するよう上端部２２４ａを有する切欠き部２２４が形成されている。
【０１０７】
而して支柱片２００の中心線Ｂ−Ｂ上には、係合片受け部２３２，２３４，２３６，２３８が形成されている。即ち、係合片１３２が着脱自在に挿し込み可能な係合片受け部２３２が形成され、係合片１３４が着脱自在に挿し込み可能な係合片受け部２３４が形成され、係合片１３６が着脱自在に挿し込み可能な係合片受け部２３６が形成され、そして係合片１３８が着脱自在に挿し込み可能な係合片受け部２３８が形成されている。
【０１０８】
また、支柱片２００の上部２００ａには、例えば支柱片２００の底辺部２００ｄから上方に向かって全体の高さＨの３／４に当たる位置には、切欠き状の安定部材受け部（安定部材嵌合部）２４２，２４４が形成されている。即ち、図１３中、中心線Ｂ−Ｂに対して支柱片２００の左側には右方向へ指向するよう端部２４２ａを有する安定部材受け部２４２が形成されている。また、中心線Ｂ−Ｂに対して支柱片２００の右側には左方向へ指向するよう端部２４４ａを有する安定部材受け部２４４が形成されている。
【０１０９】
また、支柱片２００の中心線Ｂ−Ｂ上には、係合つめ片受け部１５０に嵌め込まれて係合する半円状の係合つめ片２５０が形成されている。係合つめ片２５０は、その外周縁部に係合切欠き部（切欠き部）２５０ａが形成されるとともに、その下端部２５０ｂを基線に垂直方向に対して回動自在となるよう構成されている。そして、かつらスタンド１０の組立て時、係合つめ片受け部１５０の周縁部に対して係合切欠き部２５０を摺動するようにして水平状態にすると、係合保持部１５０ａに係合して保持状態となるよう構成されている。
【０１１０】
さらに、支柱片２００の上部側（図１３中、中心線Ｂ−Ｂの左側）には、円形状の貫通孔部２６２が形成されている。貫通孔部２６２は、その中心部が上部ホック１６２の中心部と同じ高さに位置し、上部ホック１６２及び下部ホック１６４を内側に収容できるくらいの面積を有するよう構成されている。
【０１１１】
また、支柱片２００の係合つめ片２５０の下方近傍（図１３中、中心線Ｂ−Ｂの左側）には、円形状の貫通孔部２６４が形成されている。貫通孔部２６４は、その中心部が下部ホック１６４の中心部と同じ高さに位置し、上部ホック１６２及び下部ホック１６４を内側に収容できるくらいの面積を有するよう構成されている。
【０１１２】
ところで、支柱片２００の中央部２００ｂには、即ち支柱片２００の底辺部２００ｄから上方へ１／２Ｈの位置には、支柱片２００を二つに折り畳み可能となるよう折り曲げ部２７０が水平方向に設けられている。折り曲げ部２７０は、支柱片２００の図１３中左側に位置する３本の折り曲げガイド線（折り線）を有する左側折り曲げ部２７２と、図１３中右側に位置する４本の折り曲げガイド線（折り線）を有する右側折り曲げ部２７４から構成されている。
ここで、円滑な折り曲げを可能とするために、即ち折り曲げ時に発生する反発力を軽減するために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１１３】
さらに、支柱片２００の中央部２００ｂには、即ち切込み部１２０の中央部には、切欠き部１８０と同じ高さ位置に切欠き部２８０が形成されている。切欠き部２８０は、折り曲げ部２７０の中央部に配するよう穿設されて形成されており、支柱片２００の折り畳み時に発生する反発力を軽減するよう機能するものである。
【０１１４】
さて、安定部材３００は、外観が円形状を呈し、安定部材取着部１４０に着脱自在に嵌め込み取着されるよう外周縁部から内側に指向するよう切欠き形成された第一の取着部３２２，３２４と、安定部材受け部２４２，２４４に着脱自在に嵌め込み取着されるよう内周側に直線状に切欠き形成された第二の取着部３４０を有する。ここで、第一の取着部３２２，３２４には、支柱片１００に安定部材３００の取着時、係合保持部１４２ａ，１４４ａと当接状態になる底端部３２２ａ，３２４ａが形成されている。また、第二の取着部３４０には、支柱片２００に安定部材３００の取着時、端部２４２ａ，２４４ａと当接状態になる端部３４０ａ，３４０ｂが形成されている。
【０１１５】
また、安定部材３００は、図１３中、第一の取着部３２２の左側に位置するよう円形状の貫通孔部３６０を形成している。貫通孔部３６０は、後述するかつらスタンド１０の二つ折りの折畳み時、上部ホック１６２及び下部ホック１６４を内側に位置させるくらいの面積を有するよう構成されている。
【０１１６】
さらに、安定部材３００は、図１３中、第二の取着部３２４の上側に位置するよう楕円形状若しくは角なしの長方形状の貫通孔部３８０を形成している。貫通孔部３８０は、後述するかつらスタンド１０の二つ折りの折畳み時、係合つめ片１３２を内側に位置させるくらいの面積を有するよう構成されている。
【０１１７】
なお、安定部材３００は、支柱片２００に取着時、端部２４２ａ，２４４ａを介して垂直方向に回動自在となるよう構成されている。
【０１１８】
また、安定部材３００は、支柱片１００に取着時、安定部材取着部１４０のガイド部１４２，１４４の周縁部に対して第一の取着部３２２，３２４の底端部３２２ａ，３２４ａを摺動するようにして水平状態にすると、係合保持部１４２ａ，１４４ａに係合して保持状態となるよう構成されている。加えて、安定部材３００は、かつらスタンド１０に載置されるかつらの形体を崩すことなく、あたかも人頭に取着された場合と同様にその形体を保持するようガイド機能を有するものである。
【０１１９】
さらに、安定部材３００は、組立て時、安定部材取着部１４０に対して垂直方向に回動し支柱片１００と当接状態にして、支柱片２００を水平方向に回動して支柱片１００と重ね合わせるようにすると、支柱片２００と面接触の当接状態になるものである。
なお、本実施形態に於ける安定部材３００は、外観が真円や楕円を含む円形状としているが、形状はこれらに限定される訳ではなく、例えば真円の半分と楕円の半分を組合せた形状のものや、他の形状でも良いことは勿論である。
また、組立てられたかつらスタンド１０は、係合つめ片２５０と係合つめ片受け部１５０の係合保持状態並びに取着された安定部材３００により、安定性を保持できるものである。而して、安定部材３００は、係合つめ片２５０より外側に位置して内側に向けて力が働くよう構成されているので、係合つめ片２５０と係合つめ片受け部１５０の係合保持状態よりも強い力で安定性に寄与できるよう構成されているものである。
【０１２０】
上記構成につき、その作用を以下に説明する。
【０１２１】
かつらスタンド１０の組立ては、先ず、支柱片２００に安定部材３００を取付ける。即ち、第二の取着部３４０内に支柱片２００が位置するよう例えば支柱片２００の上方から安定部材３００を降下させて、第二の取着部３４０を安定部材受け部２４２，２４４に嵌め込み、端部３４０ａ，３４０ｂと端部２４２ａ，２４４ａを当接状態にする。而して端部２４２ａ，２４４ａを介して安定部材３００を回動させて安定部材３００と支柱片２００とを、面接触の状態にする。
【０１２２】
この状態で、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【０１２３】
次に、係合片１３２を係合片受け部２３２に、係合片１３４を係合片受け部２３４に、係合片１３６を係合片受け部２３６に、そして係合片１３８を係合片受け部２３８に挿し込み係合させる。
【０１２４】
続いて、係合切欠き部２５０ａを係合つめ片受け部１５０の周縁部に対して摺動するようにして係合つめ片２５０を水平状態にして係合切欠き部２５０ａを係合保持部１５０ａに係合させる。これにより、水平状態にて係合状態が保持されることになる。
【０１２５】
而して安定部材３００を水平となるよう回動して底端部３２２ａ，３２４ａを係合保持部１４２ａ，１４４ａに係合して保持状態にする。
【０１２６】
斯様にして上部がかつら受け部１０ａで、下部が脚部１０ｂとなるかつらスタンド１０が組立てられることになる。かつらスタンド１０は、係合片１３２，１３４，１３６，１３８と係合片受け部２３２，２３４，２３６，２３８との係合状態に加えて、係合つめ片２５０と係合つめ片受け部１５０及び安定部材３００とが夫々に於いて係合保持状態にあるので、従来の組み立て式のかつらスタンドに比べて、より強固に安定した状態を保持できるよう機能するものである。
【０１２７】
組立てられたかつらスタンド１０を二つ折りに折り畳む場合は、先ず、底端部３２２ａ，３２４ａと係合保持部１４２ａ，１４４ａとの係合状態を解除して安定部材３００を垂直方向へ回動させて支柱片２００と面接触の状態にする。
【０１２８】
次に、係合切欠き部２５０ａと係合保持部１５０ａとの係合状態を解除して係合つめ片２５０を回動させて支柱片２００と同一面な状態にする。
【０１２９】
この後、係合片１３２，１３４，１３６，１３８と係合片受け部２３２，２３４，２３６，２３８の係合状態を保持したまま、支柱片１００と支柱片２００を重ね合わせる。例えば、支柱片１００を水平方向に４５°回動させて支柱片２００と面接触の当接状態にする。
【０１３０】
すると、支柱片１００の折り曲げ部１７０と支柱片２００の折り曲げ部２７０が重なった状態になる。而して、折り曲げ部１７０，２７０を介して例えば支柱片１００，２００の上部側を下部側に向けて二つ折りにすると、折り畳まれた状態になる。ここで、上部ホック１６２と下部ホック１６４とを嵌め込み係合状態にすると、折り畳み状態が保持される（図１７参照）。
ここで、支柱片１００，２００同士はクロス状態にあるため、内側に位置するガイド線の数が同数（即ち３本）となる。また、外側に位置するガイド線の線数も同数（即ち４本）となり、折り曲げに際して発生する支柱片１００，２００の反発力を抑制しつつ、円滑な折り曲げを実現できるものである。
【０１３１】
このコンパクトに折り畳まれた状態であれば、持ち運びに便利で少ないスペースで収納や保管も可能となる。
【０１３２】
組立てられたかつらスタンド１０を分解する場合は、底端部３２２ａ，３２４ａと係合保持部１４２ａ，１４４ａとの係合状態を解除して安定部材３００を垂直方向へ回動させて支柱片２００と面接触の状態にする。
【０１３３】
次に、係合切欠き部２５０ａと係合保持部１５０ａとの係合状態を解除して係合つめ片２５０を回動させて支柱片２００と同一面な状態にする。
【０１３４】
続いて、係合片１３２，１３４，１３６，１３８と係合片受け部２３２，２３４，２３６，２３８との係合状態を解除する。即ち、係合片１３２，１３４，１３６を係合片受け部２３２，２３４，２３６から引き抜く。
【０１３５】
而して切欠き部２２２を切込み部１２０の上端部１２０ａから外すともに、切欠き部２２４を切込み部１２０の下端部１２０ｂから外して、支柱片２００を支柱片１００から取外す。そして、端部３４０ａ，３４０ｂと端部２４２ａ，２４４ａとの当接状態を解除して安定部材３００を安定部材受け部２４２，２４４から取外せば支柱片２００から安定部材３００を取外せる。これにより分解状態となる。
【０１３６】
上記実施形態によれば、極めてシンプルな構造で組立てが可能で且つ強固で安定した組立て状態を保持でき、また折り畳みや分解が容易に可能で耐久性に優れるとともに、携帯性及び保管性に優れるかつらスタンド１０を提供することができるものである。
【０１３７】
また、かつらスタンド１０の上部形状により、かつらの形態を崩さずに安定してかつらを載置できるとともに、その形状から通気性にも優れ、取扱性及び衛生面での向上を図れるものである。特に、安定部材３００は、載置されるかつらの形体を崩すことなく、あたかも人頭に取着された場合と同様にその形体を保持するようガイド機能を有するので、便利で有用なものである。
【０１３８】
さらに、シンプルな構造の２枚の折り曲げ可能な支柱片１００，２００から成るので、安価に生産することが可能なかつらスタンドを提供できるという経済的且つ実用的効果を奏する。
【０１３９】
（第４の実施形態）
続いて本発明の第４の実施形態について、図１８乃至図２２を参照して説明する。第１、第２及び第３の実施形態と同一部分及び／または同一機能については、同一番号・同一記号を付して説明する。
【０１４０】
本実施形態に係わるかつらスタンド１０は、例えば厚さ１．０ｍｍ程度の反発性を有し折り曲げると強度が増す性質を有するポリプロピレン（ＰＰ）製の高さＨ（底辺部１００ｄ，２００ｄから垂直方向へ最上端部までの高さ）の２枚の支柱片１００，２００同士をクロスさせるように組合せることにより、組立てられるものである。本実施形態では、支柱片１００，２００及び安定部材３００の厚さを１．０ｍｍ程度にしてあるが、これに限定されることなく厚さを０．６ｍｍ、０．８ｍｍ或いは１．２ｍｍ程度といったように適宜変更してもよいことは勿論である。
【０１４１】
支柱片１００（第一の支柱片）は中心線Ａ−Ａに対して線対称の形状であり、その上部１００aは緩やかな湾曲状（略半円形状または半楕円状）に形成され、中央部１００ｂの近傍は他の部位に比べて幅が狭くくびれ状に形成され、下部１００ｃには外方へ指向する脚片部１１０，１１０が形成されている。また、支柱片１００の中央部位（図１８中、中心線Ａ−Ａ上）の上部近傍から下部近傍にかけては、上端部１２０ａ及び下端部１２０ｂを有する切込み部１２０が形成されている。
【０１４２】
而して切込み部１２０には、係合片１３２，１３４，１３６，１３８が設けられている。図１８中、中心線Ａ−Ａに対して係合片１３２は左方向へ指向するように、係合片１３４は右方向へ指向するように、係合片１３６は左方向へ指向するように、そして係合片１３８は右方向へ指向するように設けられている。
【０１４３】
また、切込み部１２０には、その上部側に安定部材取着部１４０が設けられている。この安定部材取着部１４０は、略１／４円形状を呈するよう形成された略同じ大きさの二つのガイド部１４２，１４４とから構成されている。
【０１４４】
即ち、上部側に位置するガイド部１４２は、中心線Ａ−Ａ（図１８参照）に対して水平方向から上方へ右方向に指向するように略１／４円形状を呈するよう形成されおり、また水平方向の一端部に係合保持部１４２ａを形成している。他方、下部側に位置するガイド部１４４は、中心線Ａ−Ａ（図１８参照）に対して水平方向から下方へ左方向に指向するように略１／４円形状を呈するよう形成されおり、また水平方向の一端部に係合保持部１４４ａを形成している。
なお、係合保持部１４２ａ，１４４ａは、例えば底面部１００ｄから垂直方向に３／４Ｈの高さに位置するよう構成されている。
【０１４５】
さらに、切込み部１２０には、その下部側に係合つめ片受け部１５０が設けられている。この係合つめ片受け部１５０は、略１／４円形状を呈するよう形成された大小二つの係合つめ片受け部、即ち係合小つめ片受け部１５２と係合大つめ片受け部１５４とから構成されている。
【０１４６】
係合小つめ片受け部１５２は、中心線Ａ−Ａ（図１８参照）に対して水平方向から下方へ右方向に指向するように略１／４円形状を呈するよう形成されており、また水平方向の一端部に係合保持部（係合切欠き部）１５２ａを設けている。係合大つめ片受け部１５４は、係合つめ片受け部１５２の表面積より大きく、中心線Ａ−Ａ（図１８参照）に対して水平方向から上方へ左方向に指向するように略１／４円形状を呈するよう形成されており、また水平方向の一端部に係合保持部（係合切欠き部）１５４ａを設けている。
【０１４７】
さて、安定部材取着部１４０の側方近傍（図１８中、中心線Ａ−Ａの左側）にはホック機構（保持機構部）を形成する上部ホック１６２が設けられている。また、係合小つめ片受け部１５２の側方近傍（図１８中、中心線Ａ−Ａの左側）にはホック機構（保持機構部）を形成する下部ホック１６４が設けられている。而して、上部ホック１６２と下部ホック１６４は、その表面部及び裏面部が略同じ大きさとなるよう構成されており、支柱片１００を二つ折りにして折り畳むと、嵌め込まれて係合するよう構成されている。
【０１４８】
ところで、支柱片１００の中央部１００ｂには、即ち支柱片１００の底辺部１００ｄから上方へ１／２Ｈの位置には、支柱片１００を二つに折り畳み可能となるよう折り曲げ部１７０が水平方向に設けられている。折り曲げ部１７０は、支柱片１００の図１８中左側に位置する４本の折り曲げガイド線（折り線）を有する左側折り曲げ部１７２と、図１８中右側に位置する３本の折り曲げガイド線（折り線）を有する右側折り曲げ部１７４から構成されている。
ここで、円滑な折り曲げを可能とするために、即ち折り曲げ時に発生する反発力を軽減するために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１４９】
さらに、支柱片１００の中央部１００ｂには、即ち切込み部１２０の中央部には、切欠き部１８０が形成されている。切欠き部１８０は、折り曲げ部１７０の中央部に配するよう穿設されて形成されており、支柱片１００の折り畳み時に発生する反発力を軽減するよう機能するものである。
【０１５０】
他方の支柱片（第二の支柱片）２００はその外周形状及び大きさは支柱片１００と略同じであり、中心線Ｂ−Ｂに対して線対称の形状で、その上部２００aは緩やかな湾曲状（略半円形状または半楕円状）に形成され、中央部２００ｂの近傍は他の部位に比べて幅が狭くくびれ状に形成され、下部２００ｃには外方へ指向する脚片部２１０，２１０が形成されている。ここで、支柱片２００の中央部位（図１８中、中心線Ｂ−Ｂ上）の上部には、下方へ指向するよう下端部２２２ａを有する切欠き部２２２が形成されている。また、支柱片２００の中央部位（図１８中、中心線Ｂ−Ｂ上）の下部には、上方へ指向するよう上端部２２４ａを有する切欠き部２２４が形成されている。
【０１５１】
而して支柱片２００の中心線Ｂ−Ｂ上には、係合片受け部２３２，２３４，２３６，２３８が形成されている。即ち、係合片１３２が着脱自在に挿し込み可能な係合片受け部２３２が形成され、係合片１３４が着脱自在に挿し込み可能な係合片受け部２３４が形成され、係合片１３６が着脱自在に挿し込み可能な係合片受け部２３６が形成され、そして係合片１３８が着脱自在に挿し込み可能な係合片受け部２３８が形成されている。
【０１５２】
また、支柱片２００の上部２００ａには、例えば支柱片２００の底辺部２００ｄから上方に向かって全体の高さＨの３／４に当たる位置には、切欠き状の安定部材受け部（安定部材嵌合部）２４２，２４４が形成されている。即ち、図１８中、中心線Ｂ−Ｂに対して支柱片２００の左側には右方向へ指向するよう端部２４２ａを有する安定部材受け部２４２が形成されている。また、中心線Ｂ−Ｂに対して支柱片２００の右側には左方向へ指向するよう端部２４４ａを有する安定部材受け部２４４が形成されている。
【０１５３】
また、支柱片２００の中心線Ｂ−Ｂ上には、係合つめ片受け部１５０に嵌め込まれて係合する大小２種の大きさからなる半円状のつめ片から構成される係合つめ片２５０が形成されている。即ち、係合つめ片２５０は、半円状の係合大つめ片２５２と、これより表面積の小さい半円状の係合小つめ片２５４とから構成されている。
【０１５４】
係合大つめ片２５２は、その外周縁部に係合切欠き部（切欠き部）２５２ａが形成されており、かつらスタンド１０の組立て時、係合大つめ片受け部１５４の周縁部に対して係合切欠き部２５２ａを摺動するようにして水平状態にすると、係合保持部１５４ａに係合して保持状態となるよう構成されている。
【０１５５】
係合小つめ片２５４は、係合大つめ片２５２の反対側に一体的に形成されており、その外周縁部に係合切欠き部（切欠き部）２５４ａが形成されている。かつらスタンド１０の組立て時、係合小つめ片受け部１５２の周縁部に対して係合切欠き部２５４ａを摺動するようにして水平状態にすると、係合保持部１５２ａに係合して保持状態となるよう構成されている。
【０１５６】
さらに、支柱片２００の上部側（図１８中、中心線Ｂ−Ｂの左側）には、円形状の貫通孔部２６２が形成されている。貫通孔部２６２は、その中心部が上部ホック１６２の中心部と同じ高さに位置し、上部ホック１６２及び下部ホック１６４が内側に収容できるくらいの面積を有するよう構成されている。
【０１５７】
また、支柱片２００の係合つめ片２５０の下方近傍（図１８中、中心線Ｂ−Ｂの左側）には、円形状の貫通孔部２６４が形成されている。貫通孔部２６４は、その中心部が下部ホック１６４の中心部と同じ高さに位置し、上部ホック１６２及び下部ホック１６４が内側に収容できるくらいの面積を有するよう構成されている。
【０１５８】
ところで、支柱片２００の中央部２００ｂには、即ち支柱片２００の底辺部２００ｄから上方へ１／２Ｈの位置には、支柱片２００を二つに折り畳み可能となるよう折り曲げ部２７０が水平方向に設けられている。折り曲げ部２７０は、支柱片２００の図１８中左側に位置する３本の折り曲げガイド線（折り線）を有する左側折り曲げ部２７２と、図１８中右側に位置する４本の折り曲げガイド線（折り線）を有する右側折り曲げ部２７４から構成されている。
ここで、円滑な折り曲げを可能とするために、即ち折り曲げ時に発生する反発力を軽減するために、折り曲げガイド線の数については、一方のガイド線の数をｎ（自然数）とすると、他方のガイド線の数はｎ以上とすることが好ましい。
より好ましくは、一方のガイド線の数をｎとし、他方のガイド線の数はｎ＋１以上とすると、さらに円滑な折り曲げが可能となるものである。
また、ガイド線の数を両方とも等しくｎにした場合、例えば一方の線の間隔を他方の線の間隔より広くとることにより、円滑な折り曲げが可能となるものである。
【０１５９】
さらに、支柱片２００の中央部２００ｂには、即ち切込み部１２０の中央部には、切欠き部１８０と同じ高さ位置に切欠き部２８０が形成されている。切欠き部２８０は、折り曲げ部２７０の中央部に配するよう穿設されて形成されており、支柱片２００の折り畳み時に発生する反発力を軽減するよう機能するものである。
【０１６０】
さて、安定部材３００は、外観が円形状を呈し、安定部材取着部１４０に着脱自在に嵌め込み取着されるよう外周縁部から内側に指向するよう切欠き形成された第一の取着部３２２，３２４と、安定部材受け部２４２，２４４に着脱自在に嵌め込み取着されるよう内周側に直線状に切欠き形成された第二の取着部３４０を有する。ここで、第一の取着部３２２，３２４には、支柱片１００に安定部材３００の取着時、係合保持部１４２ａ，１４４ａと当接状態になる底端部３２２ａ，３２４ａが形成されている。また、第二の取着部３４０には、支柱片２００に安定部材３００の取着時、端部２４２ａ，２４４ａと当接状態になる端部３４０ａ，３４０ｂが形成されている。
【０１６１】
また、安定部材３００は、図１８中、第一の取着部３２２の左側に位置するよう円形状の貫通孔部３６０を形成している。貫通孔部３６０は、後述するかつらスタンド１０の二つ折りの折畳み時、上部ホック１６２及び下部ホック１６４を内側に位置させるくらいの面積を有するよう構成されている。
【０１６２】
さらに、安定部材３００は、図１８中、第二の取着部３２４の上側に位置するよう楕円形状若しくは角なしの長方形状の貫通孔部３８０を形成している。貫通孔部３８０は、後述するかつらスタンド１０の二つ折りの折畳み時、係合つめ片１３２を内側に位置させるくらいの面積を有するよう構成されている。
なお、安定部材３００は、支柱片２００に取着時、端部２４２ａ，２４４ａを介して垂直方向に回動自在となるよう構成されている。
【０１６３】
また、安定部材３００は、支柱片１００に取着時、安定部材取着部１４０のカイド部１４２，１４４の周縁部に対して第一の取着部３２２，３２４の底端部３２２ａ，３２４ａを摺動するようにして水平状態にすると、係合保持部１４２ａ，１４４ａに係合して保持状態となるよう構成されている。加えて、安定部材３００は、かつらスタンド１０に載置されるかつらの形体を崩すことなく、あたかも人頭に取着された場合と同様にその形体を保持するようガイド機能を有するものである。
【０１６４】
さらに、安定部材３００は、組立て時、安定部材取着部１４０に対して垂直方向に回動し支柱片１００と当接状態にして、支柱片２００を水平方向に回動して支柱片１００と重ね合わせるようにすると、支柱片２００と面接触の当接状態になるものである。
なお、本実施形態に於ける安定部材３００は、外観が真円や楕円を含む円形状としているが、形状はこれらに限定される訳ではなく、例えば真円の半分と楕円の半分を組合せた形状のものや、他の形状でも良いことは勿論である。
また、組立てられたかつらスタンド１０は、係合つめ片２５０と係合つめ片受け部１５０の係合保持状態並びに取着された安定部材３００により、安定性を保持できるものである。而して、安定部材３００は、係合つめ片２５０より外側に位置して内側に向けて力が働くよう構成されているので、係合つめ片２５０と係合つめ片受け部１５０の係合保持状態よりも強い力で安定性に寄与できるよう構成されているものである。
【０１６５】
上記構成につき、その作用を以下に説明する。
【０１６６】
かつらスタンド１０の組立ては、先ず、支柱片２００に安定部材３００を取付ける。即ち、第二の取着部３４０内に支柱片２００が位置するよう例えば支柱片２００の上方から安定部材３００を降下させて、第二の取着部３４０を安定部材受け部２４２，２４４に嵌め込み、端部３４０ａ，３４０ｂと端部２４２ａ，２４４ａを当接状態にする。而して端部２４２ａ，２４４ａを介して安定部材３００を回動させて安定部材３００と支柱片２００とを、面接触の状態にする。
【０１６７】
この状態で、支柱片２００を支柱片１００の切込み部１２０に対してクロスするように挿入し、切欠き部２２２の下端部２２２ａを切込み部１２０の上端部１２０ａに、切欠き部２２４の上端部２２４ａを切込み部１２０の下端部１２０ｂに当接させるよう嵌め込むようにして係合させる。
【０１６８】
次に、係合片１３２を係合片受け部２３２に、係合片１３４を係合片受け部２３４に、係合片１３６を係合片受け部２３６に、そして係合片１３８を係合片受け部２３８に挿し込み係合させる。
【０１６９】
続いて、係合切欠き部２５２ａを係合大つめ片受け部１５２の周縁部に対して摺動するようにして係合大つめ片２５２を水平状態にして係合切欠き部２５２ａを係合保持部１５４ａに係合させるとともに、係合切欠き部２５４ａを係合小つめ片受け部１５２の周縁部に対して摺動するようにして係合小つめ片２５４を水平状態にして係合切欠き部２５４ａを係合保持部１５２ａに係合させると、係合小つめ片２５４が水平に保持状態となる。これにより、係合つめ片２５０は係合つめ片受け部１５０に対して水平状態にて係合状態が保持されることになる。
【０１７０】
而して安定部材３００を水平となるよう回動して底端部３２２ａ，３２４ａを係合保持部１４２ａ，１４４ａに係合して保持状態にする。
【０１７１】
斯様にして上部がかつら受け部１０ａで、下部が脚部１０ｂとなるかつらスタンド１０が組立てられることになる。かつらスタンド１０は、係合片１３２，１３４，１３６，１３８と係合片受け部２３２，２３４，２３６，２３８との係合状態に加えて、係合大つめ片２５２と係合大つめ片受け部１５４、係合小つめ片２５４と係合小つめ片受け部１５２及び安定部材３００とが夫々に於いて係合保持状態にあるので、従来の組み立て式のかつらスタンドに比べて、より強固に安定した状態を保持できるよう機能するものである。
【０１７２】
組立てられたかつらスタンド１０を二つ折りに折り畳む場合は、先ず、底端部３２２ａ，３２４ａと係合保持部１４２ａ，１４４ａとの係合状態を解除して安定部材３００を垂直方向へ回動させて支柱片２００と面接触の状態にする。
【０１７３】
次に、係合切欠き部２５２ａと係合保持部１５４ａとの係合状態及び係合切欠き部２５４ａと係合保持部１５２ａとの係合状態を解除して係合つめ片２５０を回動させて支柱片２００と同一面な状態にする。
【０１７４】
この後、係合片１３２，１３４，１３６，１３８と係合片受け部２３２，２３４，２３６，２３８の係合状態を保持したまま、支柱片１００と支柱片２００を重ね合わせる。例えば、支柱片１００を水平方向に４５°回動させて支柱片２００と面接触に当接状態にする。
【０１７５】
すると、支柱片１００の折り曲げ部１７０と支柱片２００の折り曲げ部２７０が重なった状態になる。而して、折り曲げ部１７０，２７０を介して例えば支柱片１００，２００の上部側を下部側に向けて二つ折りにすると、折り畳まれた状態になる。ここで、上部ホック１６２と下部ホック１６４とを嵌め込み係合状態にすると、折り畳み状態が保持される（図２２参照）。
ここで、支柱片１００，２００同士はクロス状態にあるため、内側に位置するガイド線の数が同数（即ち３本）となる。また、外側に位置するガイド線の線数も同数（即ち４本）となり、折り曲げに際して発生する支柱片１００，２００の反発力を抑制しつつ、円滑な折り曲げを実現できるものである。
【０１７６】
このコンパクトな状態であれば、持ち運びに便利で少ないスペースで収納や保管も可能となる。
【０１７７】
組立てられたかつらスタンド１０を分解する場合は、底端部３２２ａ，３２４ａと係合保持部１４２ａ，１４４ａとの係合状態を解除して安定部材３００を垂直方向へ回動させて支柱片２００と面接触の状態にする。
【０１７８】
次に、係合切欠き部２５２ａと係合保持部１５４ａとの係合状態及び係合切欠き部２５４ａと係合保持部１５２ａとの係合状態を解除して係合つめ片２５０を回動させて支柱片２００と同一面な状態にする。
【０１７９】
続いて、係合片１３２，１３４，１３６，１３８と係合片受け部２３２，２３４，２３６，２３８との係合状態を解除する。即ち、係合片１３２，１３４，１３６，１３８を係合片受け部２３２，２３４，２３６，２３８から引き抜く。
【０１８０】
而して切欠き部２２２を切込み部１２０の上端部１２０ａから外すともに、切欠き部２２４を切込み部１２０の下端部１２０ｂから外して、支柱片２００を支柱片１００から取外す。そして、端部３４０ａ，３４０ｂと端部２４２ａ，２４４ａとの当接状態を解除して安定部材３００を安定部材受け部２４２，２４４から取外せば支柱片２００から安定部材３００を取外せる。これにより分解状態となる。
【０１８１】
上記実施形態によれば、極めてシンプルな構造で組立てが可能で且つ強固で安定した組立て状態を保持でき、また折り畳みや分解が容易に可能で耐久性に優れるとともに、携帯性及び保管性に優れるかつらスタンド１０を提供することができるものである。
【０１８２】
また、かつらスタンド１０の上部形状により、かつらの形態を崩さずに安定してかつらを載置できるとともに、その形状から通気性にも優れ、取扱性及び衛生面での向上を図れるものである。特に、安定部材３００は、載置されるかつらの形体を崩すことなく、あたかも人頭に取着された場合と同様にその形体を保持するようガイド機能を有するので、便利で有用なものである。
【０１８３】
さらに、シンプルな構造の２枚の折り曲げ可能な支柱片１００，２００から成るので、安価に生産することが可能なかつらスタンドを提供できるという経済的且つ実用的効果を奏する。
【０１８４】
本発明は上記実施形態に限定されることなく、その趣旨を逸脱しない限り種々の変形が可能なことは勿論である。
【産業上の利用可能性】
【０１８５】
本発明のかつらスタンドは、従来に比べて著しくシンプルな構造でコンパクトなスタンドを実現することができ、しかも、組立て分解性及び携帯性に優れ且つ製造コストを低減することができるので、かつらや帽子などの変形し易い物だけでなく、様々な対象物のスタンドとして使用することができるため、ますます市場の拡大が期待できものである。
【符号の説明】
【０１８６】
１０                            …かつらスタンド
１０ａ                          …かつら受け部
１０ｂ                          …脚部
１００                          …支柱片（第一の支柱片）
２００                          …支柱片（第二の支柱片）
１１０，２１０                  …脚片部
１２０                          …切込み部
１３２，１３４，１３６，１３８  …係合片
１４０                          …安定部材取着部
１５０                          …係合つめ片受け部
１５０ａ                        …係合保持部（切欠き受け部）
１５２                          …係合小つめ片受け部
１５２ａ                        …係合保持部（切欠き受け部）
１５４                          …係合大つめ片受け部
１５４ａ                        …係合保持部（切欠き受け部）
１６２                          …上部ホック
１６４                          …下部ホック
１７０，２７０                  …折り曲げ部
２２２                          …切欠き部（上部切欠き部）
２２４                          …切欠き部（下部切欠き部）
２３２，２３４，２３６，２３８  …係合片受け部
２４２，２４４                  …安定部材受け部（安定部材嵌合部）
２５０                          …係合つめ片
２５０ａ                        …係合切欠き部（切欠き部）
２５２                          …係合大つめ片
２５２ａ                        …係合切欠き部（切欠き部）
２５４                          …係合小つめ片
２５４ａ                        …係合切欠き部（切欠き部）
３００                          …安定部材
３２２，３２４                  …第一の取着部
３４０                          …第二の取着部
【図１】
2018099286.tif 000003
【図２】
2018099286.tif 000004
【図３】
2018099286.tif 000005
【図４】
2018099286.tif 000006
【図５】
2018099286.tif 000007
【図６】
2018099286.tif 000008
【図７】
2018099286.tif 000009
【図８】
2018099286.tif 000010
【図９】
2018099286.tif 000011
【図１０】
2018099286.tif 000012
【図１１】
2018099286.tif 000013
【図１２】
2018099286.tif 000014
【図１３】
2018099286.tif 000015
【図１４】
2018099286.tif 000016
【図１５】
2018099286.tif 000017
【図１６】
2018099286.tif 000018
【図１７】
2018099286.tif 000019
【図１８】
2018099286.tif 000020
【図１９】
2018099286.tif 000021
【図２０】
2018099286.tif 000022
【図２１】
2018099286.tif 000023
【図２２】
2018099286.tif 000024